(57)【要約】光情報保存媒体及びその記録及び／または再生方法が開示されている。  この開示された光情報保存媒体は、リードイン領域、ユーザデータ領域及びリードアウト領域を備えた光情報保存媒体において、前記リードイン領域、ユーザデータ領域及びリードアウト領域にデータがピットで記録され、前記リードイン領域の全体または一部領域に同じ物理的フォーマットに対して変更されない情報データが記録され、この領域のデータの記録変調方式と残りの領域のデータを記録する変調方式とが異なることを特徴とする。前記構成により、製造工程を単純化させ、信号が最適に出てくる深さにピットを形成できるので、記録／再生特性を向上させ、リードイン領域の一部領域のデータ記録変調方式とユーザデータ領域のデータ記録変調方式とを記録可能な光情報保存媒体の記録変調方式を一致させることによって、他の種類の保存媒体との一貫性を保持しうる。
2005537608.tif 000002
【特許請求の範囲】
【請求項１】
リードイン領域、ユーザデータ領域及びリードアウト領域にデータを記録する方法を実行するためにコンピュータとドライブのうち、何れか１つにより読取り可能なデータにエンコーディングされる光情報保存媒体において、
第１信号を再生するために使われ、同じ物理的フォーマットによる保存媒体に依存して変更されず、第１データ記録変調方式を使用するリードイン領域の一部または全体に記録される第１データと、
第１信号を再生するために使われ、前記第１データ記録変調方式と異なる第２データ記録変調方式を使用して、リードイン領域の一部または全体と異なる光情報保存媒体の残りの領域に記録される第２データとを含むことを特徴とする光情報保存媒体。
【請求項２】
リードイン領域の全体または一部は、光情報保存媒体関連情報が記録される領域であることを特徴とする請求項１に記載の光情報保存媒体。
【請求項３】
前記第１データ記録変調は、バイフェーズ方式であり、第２データの記録変調方式はＲＬＬ変調方式であることを特徴とする請求項２に記載の光情報保存媒体。
【請求項４】
前記ＲＬＬ変調方式は、ＲＬＬ（１，７）であることを特徴とする請求項３に記載の光情報保存媒体。
【請求項５】
前記ＲＬＬ（１，７）変調方式を用いて、前記リードイン領域の一部または全体と異なる前記光情報保存媒体の残りの領域に形成されたシンクパターンが９Ｔ以上の長さを有するピットとスペースとを少なくとも１つ含むことを特徴とする請求項４に記載の光情報保存媒体。
【請求項６】
前記バイフェーズ変調方式によって記録される第１データは、ｎＴ及び２ｎＴのマーク及びスペースで記録され、２≦ｎ≦４であることを特徴とする請求項３に記載の光情報保存媒体。
【請求項７】
前記バイフェーズ変調方式を用いて、リードイン領域の一部または全体と異なる前記光情報保存媒体の残りの領域に形成されたシンクパターンは、９Ｔ以上の長さを有するピットとスペースとを少なくとも１つ含むことを特徴とする請求項６に記載の光情報保存媒体。
【請求項８】
９Ｔ以上の長さを有するマークとスペースとが少なくとも１回以上反復されるパターンで記録される認識マークが含まれることを特徴とする請求項７に記載の光情報保存媒体。
【請求項９】
前記ＲＬＬ変調方式は、ＲＬＬ（２，１０）であることを特徴とする請求項３に記載の光情報保存媒体。
【請求項１０】
前記ＲＬＬ変調方式を使用して、前記リードイン領域の一部または全体と異なる前記光情報保存媒体の残りの領域に形成されたシンクパターンは、１２Ｔ以上の長さを有するピットとスペースとを少なくとも１つ含むことを特徴とする請求項９に記載の光情報保存媒体。
【請求項１１】
前記バイフェーズ変調に使われる情報は、ｎＴ及び２ｎＴのマーク及びスペースよりなり、３≦ｎ≦５であることを特徴とする請求項１０に記載の光情報保存媒体。
【請求項１２】
前記バイフェーズ変調方式を用いて、リードイン領域の一部または全体と異なる前記光情報保存媒体の残りの領域に形成されたシンクパターンは、１２Ｔ以上の長さを有するピットとスペースとを少なくとも１つ含むことを特徴とする請求項１１に記載の光情報保存媒体。
【請求項１３】
１２Ｔ以上の長さを有するマークとスペースは、少なくとも１回以上反復されるパターンで記録される認識マークが含まれることを特徴とする請求項１２に記載の光情報保存媒体。
【請求項１４】
１２Ｔ以上の長さを有するマークとスペースは、少なくとも１回以上反復されるパターンで記録される認識マークが含まれることを特徴とする請求項１１に記載の光情報保存媒体。
【請求項１５】
前記第１データ記録変調方式は、バイフェーズ方式であり、第２データ記録変調方式はＲＬＬ変調方式であることを特徴とする請求項１に記載の光情報保存媒体。
【請求項１６】
前記ＲＬＬ変調方式はＲＬＬ（１，７）であることを特徴とする請求項１５に記載の光情報保存媒体。
【請求項１７】
前記ＲＬＬ（１，７）変調方式を使用して前記リードイン領域の一部または全体と異なる前記光情報保存媒体の残りの領域に形成されたシンクパターンは、９Ｔ以上の長さを有するピットとスペースとを少なくとも１つ含むことを特徴とする請求項１６に記載の光情報保存媒体。
【請求項１８】
前記バイフェーズ変調方式により記録される第１データは、ｎＴ及び２ｎＴのマーク及びスペースで記録され、２≦ｎ≦４であることを特徴とする請求項１５に記載の光情報保存媒体。
【請求項１９】
前記バイフェーズ変調方式を用いてリードイン領域の一部または全体と異なる前記光情報保存媒体の残りの領域に形成されたシンクパターンは、９Ｔ以上の長さを有するピットとスペースとを少なくとも１つ含むことを特徴とする請求項１８に記載の光情報保存媒体。
【請求項２０】
９Ｔ以上の長さを有するマークとスペースとが少なくとも１回以上反復されるパターンで記録される認識マークが含まれることを特徴とする請求項１９に記載の光情報保存媒体。
【請求項２１】
前記ＲＬＬ変調方式は、ＲＬＬ（２，１０）であることを特徴とする請求項１５に記載の光情報保存媒体。
【請求項２２】
前記ＲＬＬ変調方式を使用して前記リードイン領域の一部または全体と異なる前記光情報保存媒体の残りの領域に形成されたシンクパターンは、１２Ｔ以上の長さを有するピットとスペースとを少なくとも１つ含むことを特徴とする請求項２１に記載の光情報保存媒体。
【請求項２３】
前記バイフェーズ変調方式に使われるピットやスペース長は、ＲＬＬ変調方式に使われるピットやスペース長の範囲内に含まれることを特徴とする請求項３に記載の光情報保存媒体。
【請求項２４】
前記第１及び第２データで形成された１層以上の情報面を有することを特徴とする請求項１に記載の光情報保存媒体。
【請求項２５】
リードイン領域、ユーザデータ領域及びリードアウト領域を備えた光情報保存媒体を記録及び／または再生する方法において、
第１データ記録変調方式によってリードイン領域の一部または全体に同じ物理的フォーマットによる保存媒体に依存して変更されない第１データを記録する段階と、
前記第１データ記録変調方式と異なる第２データ記録変調方式を使用してリードイン領域の一部または全体と異なる光情報保存媒体の残りの領域に第２データを記録する段階と、を含むことを特徴とする方法。
【請求項２６】
前記リードイン領域の一部または全体に第１データを記録する段階は、光情報保存媒体関連情報領域に第１データを記録することを含むことを特徴とする請求項２５に記載の方法。
【請求項２７】
前記第１データ記録変調は、バイフェーズ方式であり、第２データの記録変調方式はＲＬＬ変調方式であることを特徴とする請求項２６に記載の方法。
【請求項２８】
前記ＲＬＬ変調方式は、ＲＬＬ（１，７）変調方式であることを特徴とする請求項２７に記載の方法。
【請求項２９】
前記ＲＬＬ（１，７）変調方式を用いて前記リードイン領域の一部または全体と異なる前記光情報保存媒体の残りの領域に形成されたシンクパターンは、９Ｔ以上の長さを有するピットとスペースとを少なくとも１つ含むことを特徴とする請求項２８に記載の方法。
【請求項３０】
前記バイフェーズ変調方式によって記録される第１データは、ｎＴ及び２ｎＴのマーク及びスペースで記録され、２≦ｎ≦４であることを特徴とする請求項２９に記載の方法。
【請求項３１】
前記バイフェーズ変調方式を用いてリードイン領域の一部または全体と異なる前記光情報保存媒体の残りの領域に形成されて９Ｔ以上の長さを有するピットとスペースとを少なくとも１つ含むシンクパターンを形成する段階を含むことを特徴とする請求項２９に記載の方法。
【請求項３２】
９Ｔ以上の長さを有するマークとスペースとが少なくとも１回以上反復されるパターンで記録される認識マークを形成することを特徴とする請求項２７に記載の方法。
【請求項３３】
前記ＲＬＬ変調方式はＲＬＬ（２，１０）であることを特徴とする請求項３２に記載の方法。
【請求項３４】
前記ＲＬＬ変調方式を使用し、１２Ｔ以上の長さを有するピットとスペースとを少なくとも１つ有して残りの領域にシンクパターンを形成することを特徴とする請求項３３に記載の方法。
【請求項３５】
前記バイフェーズ変調によって記録される第１データは、ｎＴ及び２ｎＴのマーク及びスペースよりなり、３≦ｎ≦５であることを特徴とする請求項３４に記載の方法。
【請求項３６】
前記バイフェーズ変調方式を使用してリードイン領域の一部または全体に１２Ｔ以上の長さを有するマークとスペースとが少なくとも１回以上反復されるパターンで記録されるシンクパターンを形成することを特徴とする請求項３３に記載の方法。
【請求項３７】
リードイン領域の一部または全体に１２Ｔ以上の長さを有するマークとスペースとが少なくとも１回以上反復されるパターンで記録される認識マークを形成することを特徴とする請求項２７に記載の方法。
【請求項３８】
前記バイフェーズ変調方式に使われるピットやスペース長は、ＲＬＬ変調方式に使われるピットやスペース長範囲内に含まれることを特徴とする請求項２７に記載の方法。
【請求項３９】
前記第１データ記録変調方式はバイフェーズ方式であり、第２データ記録変調方式はＲＬＬ変調方式であることを特徴とする請求項２５に記載の方法。
【請求項４０】
前記ＲＬＬ変調方式はＲＬＬ（１，７）であることを特徴とする請求項３９に記載の方法。
【請求項４１】
残りの領域にＲＬＬ（１，７）変調方式を使用して９Ｔ以上の長さを有するピットとスペースを少なくとも１つ含むシンクパターンを形成することを特徴とする請求項４０に記載の方法。
【請求項４２】
前記バイフェーズ変調方式により記録される第１データがｎＴ及び２ｎＴのマーク及びスペースで記録され、２≦ｎ≦４であることを特徴とする請求項４１に記載の方法。
【請求項４３】
バイフェーズ変調方式を使用して９Ｔ以上の長さを有するピットとスペースとを少なくとも１つ含み、リードイン領域の一部または全体にシンクパターンを形成することを特徴とする請求項４１に記載の方法。
【請求項４４】
リードイン領域、ユーザデータ領域及びリードアウト領域を備えた光情報保存媒体を記録及び／または再生する方法において、
第１データ記録変調方式によってリードイン領域の一部または全体に第１データを記録する段階と、
前記第１データ記録変調方式と異なる第２データ記録変調方式を使用してリードイン領域の一部または全体と異なる光情報保存媒体の残りの領域に第２データを記録する段階とを含むことを特徴とする方法。
【請求項４５】
前記第１データは、同じ物理的フォーマットによって保存媒体に依存して変更されないことを特徴とする請求項４４に記載の方法。
【請求項４６】
前記第１データ記録変調はバイフェーズ方式であり、第２データの記録変調方式はＲＬＬ変調方式であることを特徴とする請求項４４に記載の方法。
【請求項４７】
前記第１データを記録して第２データを記録する段階は、リードイン領域、ユーザデータ領域及びリードアウト領域にピットとスペースとで記録することを含み、バイフェーズによって記録されたピットとスペースの周期は、ＲＬＬ変調方式に使われたピットとスペースの周期範囲内に含まれることを特徴とする請求項４６に記載の方法。
【請求項４８】
前記第１データを記録し、第２データを記録する段階は、バイフェーズ変調方式を使用してシンクパターンを記録することを含み、前記シンクパターンはＲＬＬ変調方式を使用して記録されるシンクパターンに含まれた最大長さのピットまたはスペースを含むことを特徴とする請求項４６に記載の方法。
【請求項４９】
前記第１データ及び第２データは、同じＰＬＬ回路を使用することを特徴とする請求項４６に記載の方法。
【請求項５０】
リードイン領域、ユーザデータ領域及びリードアウト領域を備えた光情報保存媒体を記録及び／または再生する方法において、
ＰＬＬ回路を使用してリードイン領域の一部または全体から第１データを再生する段階と、
前記ＰＬＬ回路を使用してリードイン領域の一部または全体と異なる光情報保存媒体の残りの領域から第２データを再生する段階と、を含むことを特徴とする方法。
【請求項５１】
リードイン領域、ユーザデータ領域及びリードアウト領域を備えた光情報保存媒体を記録及び／または再生するドライブにおいて、
前記ドライブは、
第１データ記録変調方式によってリードイン領域の一部または全体に第１データを記録し、前記第１データ記録変調方式と異なる第２データ記録変調方式によってリードイン領域の一部または全体と異なる光情報保存媒体の残りの領域に第２データを記録する記録ユニットを含むことを特徴とするドライブ。
【請求項５２】
リードイン領域、ユーザデータ領域及びリードアウト領域を備えた光情報保存媒体を記録及び／または再生するドライブにおいて、
前記ドライブは、
ＰＬＬ回路を使用してリードイン領域の一部または全体から同じ物理的フォーマットによる保存媒体に依存して変更されない第１データを再生して前記ＰＬＬ回路を使用してリードイン領域の一部または全体と異なる光情報保存媒体の残りの領域から第２データを再生する読取器を含むことを特徴とするドライブ。
【発明の詳細な説明】
【技術分野】
【０００１】
本発明は、光情報保存媒体及びその記録及び／または再生方法に係り、より詳細には、全域のデータがピット状に記録され、リードイン領域の一部領域の第１記録変調方式と残りの領域の第２記録変調方式とが異なる光情報保存媒体及びその記録及び／または再生方法に関する。
【背景技術】
【０００２】
一般的に光情報保存媒体、例えば、光ディスクは、非接触式で情報を記録／再生する光ピックアップ装置の情報保存媒体に広く採用され、情報記録容量によってコンパクトディスク（ＣＤ）、デジタル多機能ディスク（ＤＶＤ）に区分される。そして、情報の記録、消去及び再生が可能な光ディスクであって、６５０ＭＢ  ＣＤ−Ｒ、ＣＤ−ＲＷ、４．７ＧＢ  ＤＶＤ＋Ｒ／ＲＷ、ＤＶＤ−ＲＡＭ、ＤＶＤ−Ｒ／ＲＷなどがあり、再生専用ディスクとして６５０ＭＢ  ＣＤ、４．７ＧＢ  ＤＶＤ−ＲＯＭなどがある。なお、記録容量が２０ＧＢ以上の高密度光ディスク（ＨＤ−ＤＶＤ）も開発されている。
【０００３】
ところが、前記のような多様な種類の光情報保存媒体は互換性を通じてユーザの便宜を図るか、経済性を考慮して保存媒体の種類別に標準化された規格を有しており、まだ規格の決まっていない保存媒体については、標準化のための努力が進行しつつある。したがって、標準化のために従来の保存媒体と互換性や一貫性などが確保されるようにする方向にフォーマットに対する開発が要求される。ところで、従来の保存媒体には、データをピット状に記録するか、グルーブウォッブル形態に記録する方式が採用されてきた。ここで、ピットとは、ディスク製造時に基板に物理的に形成された溝をいい、グルーブウォッブルとは、グルーブがウェーブ形態に形成されたものを意味する。一般的に、ピット信号はジッタ値として検出される一方、グルーブウォッブル信号はプッシュプル信号として検出される。
【０００４】
図１は、グルーブウォッブルの深さまたはピット深さによるプッシュプル信号とジッタ特性とをグラフで示した図面である。プッシュプル信号が最大に出てくるグルーブウォッブルの深さはほぼ１／８（λ／ｎ）であり、ジッタが発生するピットの最大深さは１／４（λ／ｎ）である。したがって、グルーブウォッブルとピットの両方に存在する光情報保存媒体では、グルーブウォッブルの深さとピットの深さとを、各々異ならせるのが良い。しかし、グルーブウォッブルとピットとの深さを異ならせる場合に、グルーブウォッブルを形成する工程とピットを形成する工程とを独立して行わねばならないので、製造工程が複雑になって量産性が落ちる短所がある。これにより、製造工程を単純化するためにグルーブとピットとの深さを同一にする場合、製造工程の側面では有利になるが、信号特性の側面ではプッシュプル信号とジッタ特性のうち、何れか１つを満足させることができず、データの記録／再生性能が低下するという問題点がある。
【発明の開示】
【発明が解決しようとする課題】
【０００５】
本発明は、前記に提起された問題を勘案して案出されたものであって、製造工程を単純化させると共に、信号側面で有利で、かつ異なる種類の光保存媒体との一貫性を保持可能にした光情報保存媒体を提供するところにその目的がある。
【０００６】
本発明の他の側面と利点は後続する詳細な説明に部分的に記述され、詳細な説明から明白になるか、あるいは本発明の実施例により理解できるであろう。
【課題を解決するための手段】
【０００７】
前記目的を達成するために、本発明による光情報保存媒体は、リードイン領域、ユーザデータ領域及びリードアウト領域にデータを記録する方法を実行するためにコンピュータとドライブのうち、何れか１つにより読取り可能なデータでエンコーディングされる光情報保存媒体において、第１信号を再生するために使われ、同じ物理的フォーマットによる保存媒体に依存して変更されず、第１データ記録変調方式を使用するリードイン領域の一部または全体に記録される第１データと、第１信号を再生するために使われて、前記第１データ記録変調方式と異なる第２データ記録変調方式を使用して、リードイン領域の一部または全体と異なる光情報保存媒体の残りの領域に記録される第２データとを含むことを特徴とする。
【０００８】
前記データは、同じ物理的フォーマットによって保存媒体に依存して変更されていないデータの記録されるリードイン領域の一部または全体は、光情報保存媒体関連情報が記録される領域で有り得る。
【０００９】
前記データは、同じ物理的フォーマットによって保存媒体に依存して変更されていない第１データがバイフェーズ方式であり、残りのデータのための第２記録変調方式はＲＬＬ変調方式で有り得る。
【００１０】
前記ＲＬＬ変調方式はＲＬＬ（１，７）で有り得る。
【００１１】
前記ＲＬＬ（１，７）変調方式を使用して、前記リードイン領域の一部または全体と異なる前記光情報保存媒体の残りの領域に形成されたシンクパターンが９Ｔ以上の長さを有するピットとスペースとを少なくとも１つ含む。
【００１２】
前記バイフェーズ変調方式によって記録されるデータは、ｎＴ及び２ｎＴのマーク及びスペースで記録され、２≦ｎ≦４である。
【００１３】
９Ｔ以上の長さを有するマークとスペースとが少なくとも１回以上反復されるパターンで記録される認識マークが含まれうる。
【００１４】
前記ＲＬＬ変調方式に使われるシンクパターンは、１２Ｔ以上の長さを有する少なくとも１つのピットとスペースとを含みうる。
【００１５】
前記バイフェーズ変調方式によって記録されるデータは、ｎＴ及び２ｎＴのマーク及びスペースで記録され、３≦ｎ≦５である。
【００１６】
前記バイフェーズ変調方式に使用されるシンクパターンは、１２Ｔ以上の長さを有する少なくとも１つのピットとスペースとを含みうる。
【００１７】
前記目的を達成するための方法は、リードイン領域、ユーザデータ領域及びリードアウト領域にデータをピットで記録することを含む。前記データは、データ記録変調方式によってリードイン領域の一部または全体に同じ物理的フォーマットによる保存媒体に依存して変更されず、前記データは、第１データ記録変調方式と異なる第２データ記録変調方式を使用してリードイン領域の一部または全体と異なる光情報保存媒体の残りの領域に記録される。
【００１８】
前記目的を達成するために、リードイン領域、ユーザデータ領域及びリードアウト領域を備えた光情報保存媒体を記録及び／または再生する方法において、ＰＬＬ回路を使用してリードイン領域の一部または全体から第１データを再生する段階と、前記ＰＬＬ回路を使用してリードイン領域の一部または全体と異なる光情報保存媒体の残りの領域から第２データを再生する段階を含むことを特徴とする。
【００１９】
前記目的を達成するために、リードイン領域、ユーザデータ領域及びリードアウト領域を備えた光情報保存媒体を記録及び／または再生するドライブにおいて、前記ドライブは、第１データ記録変調方式によってリードイン領域の一部または全体に第１データを記録して、前記第１データ記録変調方式と異なる第２データ記録変調方式によってリードイン領域の一部または全体と異なる光情報保存媒体の残りの領域に第２データを記録する記録ユニットを含むことを特徴とする。
【００２０】
前記目的を達成するために、リードイン領域、ユーザデータ領域及びリードアウト領域を備えた光情報保存媒体を記録及び／または再生するドライブにおいて、前記ドライブは、ＰＬＬ回路を使用して、リードイン領域の一部または全体から同じ物理的フォーマットによる保存媒体に依存して変更されない第１データを再生し、前記ＰＬＬ回路を使用してリードイン領域の一部または全体と異なる光情報保存媒体の残りの領域から第２データを再生する読取器を含む。
【発明を実施するための最良の形態】
【００２１】
本発明の前記目的及び利点及び／または他の目的及び利点は添付された図面を参照した望ましい実施例の説明から容易に理解されうる。
【００２２】
本発明の望ましい実施例について詳細に参照番号が作られ、添付された図面に紹介された例は、類似した要素について類似した参照番号を参照する。図面を参照して本発明を説明するために実施例が記述される。
【００２３】
本発明の関連技術として記録可能な高密度光情報保存媒体の全体的な構造が図２に図示されている。これと関連した発明は、本出願人が出願した特許第２００１−０２３７４７号に開示されている。この記録可能な光情報保存媒体は、リードイン領域１１０、ユーザデータ領域１２０及びリードアウト領域１３０を含み、保存媒体全体領域をグルーブ１２３及びランド１２５で構成する。ここで、ユーザデータは、グルーブ１２３にのみ記録されるか、またはグルーブ１２３及びランド１２５に共に記録されうる。
【００２４】
一方、リードイン領域１１０に再生専用データを記録する時、ピットの代わりにグルーブ１２３及び／またはランド１２５のトラックの側壁に特定周波数の信号であるウェーブ型のウォッブル信号１０５、１０６を連続して記録する。ここで、ビームＬがグルーブ１２３及び／またはランド１２５のトラックに沿って行きつつ、データを記録するか、再生する。特に、リードイン領域１１０及びリードアウト領域１３０には、ディスク関連情報が記録される再生専用領域と記録可能な領域とが共に備えられる。前記ディスク関連情報は、高周波ウォッブル１０５で記録され、リードイン領域１１０及びリードアウト領域１３０の記録可能な領域とユーザデータ領域１２０は、高周波ウォッブル１０５に比べて相対的に低い周波数のウォッブル１０６で構成される。未説明符号１２７は、ユーザデータ領域１２０に形成された記録マークを示す。
【００２５】
このような構造よりなる記録可能な光情報保存媒体でリードイン領域１１０の再生専用データはプッシュプルチャンネルを用いて再生し、ユーザデータは、サムチャンネルを用いて再生しうる。また、リードイン領域に記録されるデータの記録変調方式としては、バイフェーズ（ｂｉ−ｐｈａｓｅ）変調方式を採択し、ユーザデータの記録変調方式として後述するＲＬＬ（Ｒｕｎ  Ｌｅｎｇｔｈ  Ｌｉｍｉｔ）変調方式を採択する。バイフェーズ変調方式によれば、一定の周期内に信号変化がある場合と、ない場合とによって、データを表示する方式である。例えば、図３に示されたように、所定周期Ｐ内でグルーブウォッブルの位相が変わらない時には、０（または１）ビットを、グルーブウォッブルの位相が変わる時には、１（または０）ビットを示す。このように一定の周期内で所定の信号変化の有無、例えば、位相の変化有無によってデータを記録する方式をバイフェーズ方式と称する。ここでは、グルーブウォッブルの位相変調を説明したが、その他にも多様なパターンの位相変調が可能である。
【００２６】
前述したような記録可能な光情報保存媒体との記録変調方式についての一貫性を考慮して、本発明による再生専用光情報保存媒体の物理的データ構造を次のように構成しうる。
【００２７】
本発明の望ましい実施例による光情報保存媒体は、図４を参照するに、ユーザデータが記録されるデータ領域１３、データ領域１３の内側に設けられたリードイン領域１０及びデータ領域１３の外側に備えられたリードアウト領域１５を含み、リードイン領域１３、データ領域１３及びリードアウト領域１５に記録されるデータがピット８、１８形態に記録される。ピットは、光情報保存媒体の製造時に基板に予め形成される。このように、光情報保存媒体の全域に記録されるデータをピットで記録すれば、リードイン領域１０とユーザデータ領域１３とに工程の中断なしに、ピットを形成できるので、製造工程が簡単になり、工程時間を短縮しうる。また、グルーブウォッブルがないので、ピットに対する最適の深さを統一的に定めうる。すなわち、図１を参照してジッタ特性が最低に出る深さ、例えば、１／４（ｎ／λ）にピットを形成する。
【００２８】
特に、図５に示されたように、リードイン領域１０の全体または一部領域１０ａに、同じ物理的フォーマット（変調方式、最小ピット長、トラックピッチなどに関するフォーマット）に対して変わらない情報、例えば、保存媒体関連情報が記録される。これに対し、保存媒体のコンテンツによって変わる情報、例えばユーザデータ領域にデータが記録された部分の最後のアドレスと同じ情報が部領域１０ａを除外した残りの領域に記録されうる。
【００２９】
ここで、保存媒体の全域にピット形態にデータを記録するが、リードイン領域１０の全体または一部領域１０ａと残りの領域でのデータ記録変調方式を異ならせることが望ましい。例えば、リードイン領域１０の全体または一部領域１０ａに記録されるデータ記録変調方式としては、バイフェーズ変調方式を採択し、残りの領域のデータ記録変調方式としては、ＲＬＬ変調方式を採択されうる。以下、前記一部領域を保存媒体関連情報領域と称する。
【００３０】
本発明の第１実施例による光情報保存媒体及びその記録及び／または再生方法によれば、保存媒体全域にピット形態にデータを記録し、リードイン領域の全体または保存媒体関連情報領域１０ａは、バイフェーズ変調方式により、残りの領域はＲＬＬ（１，７）変調方式によりデータを記録する。
【００３１】
バイフェーズ方式では、図６Ａに示されたように、所定の一周期（Ｐ）内でピットの変化がない場合には、０（または１）ビットを、ピットの変化がある場合には、１（または０）ビットを各々示す。すなわち、一周期（Ｐ）全体がピット２０で形成された場合には、０（または１）ビットを、ピット２２とスペース２４とが混合された場合には、１（または０）ビットを示す。図６Ａには、バイフェーズ変調されたピットと、２進化信号（ｂｉｎａｒｉｚｅｄ  ｓｉｇｎａｌ）、バイフェーズデータパターン及びデータ構造が共に図示されている。
【００３２】
一方、ＲＬＬ変調方式は、１ビットと１ビットとの間に０ビットが何個入るかによる変調方式を示すものであって、ＲＬＬ（ｄ、ｋ）は１ビットと１ビットとの間に入る０ビットの数が最小（ｄ）個であり、最大（ｋ）個であることを意味する。例えば、ＲＬＬ（１，７）は、１ビットと１ビットとの間に入る０ビットの数が最小１個、最大７個で１−７個である方式を示す。この変調方式によれば、ｄ＝１である時、（１０１０１０１）のデータが記録されて、１ビットと１ビットとの間に２Ｔの長さを有する。また、ｄ＝７である時、（１０００００００１０００００００１）のデータが記録されて１ビットと１ビットとの間に８Ｔの長さを有する。ここで、Ｔは最小マーク、すなわち、最小ピット長を表す。したがって、ＲＬＬ（１，７）変調方式では、データが（２Ｔ−８Ｔ）の長さを有するピットとスペースとで記録される。
【００３３】
この際、バイフェーズ変調方式により記録されるデータは、ｎＴ及び２ｎＴのピットとスペースとよりなり、ｎは２≦ｎ≦４範囲内にあることが望ましい。例えば、ｎ＝２である場合には、バイフェーズ変調方式によるデータが２Ｔ及び４Ｔのピットとスペースとよりなり、ｎ＝４である場合にはバイフェーズ変調方式によるデータが４Ｔと８Ｔのピットとスペースとよりなる。したがって、ｎが２≦ｎ≦４範囲内にある時、ｎＴ及び２ｎＴのピットとスペースとよりなるデータは何れもＲＬＬ（１，７）変調方式によるピットとスペース長との範囲内に含まれる。前記のような方法でピットとスペースとからの再生時には、２ｎＴ周期内にピットとスペースとの変化があれば、１（または０）、変化がなければ０（または１）と認識しうる。
【００３４】
一方、前記バイフェーズ変調方式が使われる領域とＲＬＬ変調方式が使われる領域の前に、各々シンクパターンが記録されうる。シンクパターンは、ＲＬＬ変調方式で使われる最長ピットやスペース長範囲の外にある長さを有するピットとスペースとを少なくとも１つ含むことが望ましい。
【００３５】
例えば、ユーザデータ領域でＲＬＬ（１，７）変調方式を採択する場合には、９Ｔ以上の長さを有するピットとマークとを少なくとも１つ含み、９Ｔ以下の長さを有するピットとスペースとで共に構成しうる。ＲＬＬ（１−７）変調方式では、ピットとスペースとが（３Ｔ−８Ｔ）の長さ範囲を有し、シンクパターンが前記データの長さ範囲の（３Ｔ−８Ｔ）範囲外にある長さよりなるピットとスペースとを少なくとも１つ有させることが望ましい。例えば、９Ｔを少なくとも１回含み、９Ｔ以下の長さを有するピットとスペースと共に構成されることが望ましい。
【００３６】
また、バイフェーズ変調方式に使われるシンクパターンにはＲＬＬ変調方式に使われるシンクパターンに含まれた最長ピットやスペースを含むことが望ましい。
【００３７】
このようにバイフェーズ変調方式によるピットとスペースの周期をＲＬＬ変調方式で使用しているピットとスペースとの周期範囲内で使用し、バイフェーズ変調方式に使われるシンクパターンをＲＬＬ変調方式に使われるシンクパターンに含まれた最長ピットやスペースを同一に含むように構成することによって、リードイン領域の一部領域１０ａの再生専用データピットとユーザ領域１３のデータピットとを何れも同じＰＬＬ（フェーズロックドループ）回路を用いて再生可能であるという利点がある。
【００３８】
前記のような方式によってデータを構成した一例を見ると、シンクパターンに９Ｔを少なくとも１回含み、９Ｔ以下の長さを有するピットとスペースとで共に構成しうる。そして、ユーザデータ情報を３Ｔ及び６Ｔのピットとスペースとで表現すれば、６Ｔを基準周期とし、６Ｔ内で信号の変化がなければ、０（または１）ビットを、信号の変化があれば、１（または０）ビットを示すものとしうる。信号の変化がない場合は、３Ｔピットと３Ｔスペースとで構成される。
【００３９】
ここで、再生されるデータの信頼性または特性によって６Ｔ以外に４Ｔまたは８Ｔなどに基準周期が変われることは言うまでもない。かかる場合には、３Ｔ、６Ｔのピットやスペースの代りに各々２Ｔ、４Ｔのピットとスペース、４Ｔ、８Ｔのピットとスペースでデータ情報が表現される。ところが、特にシンクパターンに９Ｔを含み、データ情報を、６Ｔを基準周期として３Ｔと６Ｔとを用いて記録する時、データの再生エラー率を低めうる利点がある。データが２Ｔや４Ｔで再生される場合にも、それに隣接する３Ｔで補正し、５Ｔや７Ｔで再生される場合にも、それに隣接する６Ｔで補正し、８Ｔや１０Ｔで再生される場合には、９Ｔで補正してエラー率を低めうる。図示はされていないが、ユーザデータ領域１３にも、シンクパターンが記録されうるということは前述した通りである。
【００４０】
一方、図６Ｂは、バイフェーズ方式で変調されたデータ構造の一例を示すものであって、図６Ａと比較する時、反対極性である場合を示すものである。
【００４１】
また、図７Ａに示されたように、ユーザデータ領域と区分されてバイフェーズ変調方式で情報が保存されている領域１０ａが分かるように、この領域１０ａの先頭と後尾に認識マークを記録しうる。この認識マークもＲＬＬ（１，７）変調方式とバイフェーズ変調方式とに使われるシンクパターン内の最長ピットやスペースと同じ長さのピットやスペースを少なくとも１回以上反復されるように構成されうる。
【００４２】
図７Ｂは、図７Ａと比較する時、反対極性である場合を示す。
【００４３】
次いで、図７Ａ及び図７Ｂに示された光情報保存媒体及びその記録及び／または再生方法について説明する。
【００４４】
第２実施例によれば、リードイン領域１０、ユーザデータ領域１３及びリードアウト領域１５の全体に亙ってデータをピットで記録し、リードイン領域１０の全体または一部領域１０ａはバイフェーズ変調方式により、残りの領域はＲＬＬ（２，１０）変調方式によりデータを記録する。一部領域１０ａは、同じ物理的フォーマットについて変わらない情報が記録される領域であり、残りの領域はリードイン領域１０の残りの領域とユーザデータ領域１３及びリードアウト領域を示す。同じ物理的フォーマットについて変わらない情報とは、例えば保存媒体関連情報である。
【００４５】
ＲＬＬ（２，１０）変調方式によれば、データが（３Ｔ−１１Ｔ）範囲内の長さを有するマーク、すなわち、ピットとスペースとで記録される。この際、バイフェーズ方式で記録されるデータはｎＴ及び２ｎＴの長さを有するマークとスペースとで構成され、ｎは３≦ｎ≦５範囲を有することが望ましい。すなわち、ｎ＝３である時、バイフェーズ方式によるデータは、３Ｔと６Ｔの長さを有するマークとスペースとで構成され、ｎ＝５である時、５Ｔと１０Ｔの長さを有するピットとスペースとで構成される。このようなバイフェーズ方式におけるピットとスペースの長さはＲＬＬ（２，１０）方式を採用したユーザデータの長さ範囲である（３Ｔ−１１Ｔ）範囲内に含まれるので、前述したようにユーザデータ領域でのデータピットとリードイン領域でのデータとを同じＰＬＬ回路を用いて再生しうる。
【００４６】
一方、シンクパターンは、バイフェーズ変調方式が使われる領域とＲＬＬ（２，１０）変調方式が使われる領域との前に各々記録されうる。シンクパターンは、１２Ｔ以上の長さを有するピットとスペースとが少なくとも１回反復され、１２Ｔより短いピットとスペースとで共に構成することが望ましい。例えば、シンクパターンは、１２Ｔの長さを有するピットとスペースとが少なくとも１回含まれ、ユーザデータ情報として、２ｎＴ、すなわち６Ｔ、８Ｔ、１０Ｔのうち何れか１つを基準周期として構成されうる。
【００４７】
例えば、８Ｔを基準周期とする時、８Ｔ内で信号変化がなければ、０（または１）ビットを、信号変化があれば、１（または０）ビットを示す。信号変化がない場合とは、８Ｔ全体がピットまたはスペースよりなっている場合を意味し、信号変化がある場合とは、８Ｔ内で４Ｔのピットと４Ｔのスペースとで構成された場合を意味する。
【００４８】
そして、ユーザ情報の保存に使用するＲＬＬ（２，１０）変調方式と区分してバイフェーズ変調を使用する領域を認識するために、その領域の先頭と後尾に認識マークをさらに記録することが望ましい。ここで、認識マークは、１２Ｔ以上の長さを有するピットとスペースとが少なくとも１回以上反復され、１２Ｔより短いピットを有するピットとスペースとで共に構成されうる。
【００４９】
図８は、図４に示された光情報保存媒体から情報を再生するドライブ５００を示すブロックダイアグラムである。図８を参照するに、ドライブ５００は、制御部５１０と光ディスク５３０と同じ光情報保存媒体に、かつ／または保存媒体からデータを記録及び／または再生する記録ユニット及び／または読取器を含む。
【００５０】
本発明による光情報保存媒体は、１層以上の情報面を有する保存媒体に適用されうる。
【産業上の利用可能性】
【００５１】
前述したように本発明による光情報保存媒体及びその記録及び／または再生方法によれば、保存媒体全域に亙って統一的にピットを形成することによって、製造工程を単純化させ、信号が最適に出てくる深さにピットを形成できるので、記録／再生特性を向上させるのに有利である。すなわち、ピットによる同じ再生チャンネル（サムチャンネル）を使用するために、グルーブやピットによる信号特性差を考慮する必要がない。
【００５２】
また、リードイン領域の一部領域のデータ記録変調方式と、ユーザデータ領域のデータ記録変調方式とを記録可能な光情報保存媒体の記録変調方式を一致させることによって、異なる種類の保存媒体との一貫性を保持しうる。また、本発明によれば、既存のグルーブウォッブルによるデータより多量のデータを記録でき、リードイン領域の再生専用データとユーザデータとを同じＰＬＬ回路を用いて再生できる利点がある。また、認識マークを記録して特定領域に対する検出能力を改善することによって、ドライブアクセスタイムを短縮できる。
【００５３】
本発明の幾つかの実施例が図示され、説明されたが、当該技術分野の当業者によって本発明の原理及び思想から分離されず、本実施例での変更が可能であり、その範囲は、特許請求の範囲及びその均等な範囲に限定されるものであろう。
【図面の簡単な説明】
【００５４】
【図１】グルーブウォッブルまたはピット深さによるプッシュプル信号とジッタ特性の変化とを示すグラフである。
【図２】本発明の関連技術であって記録可能な高密度光情報保存媒体の物理的構造を概略的に示す図である。
【図３】グルーブウォッブルの記録変調方式を示す図である。
【図４】本発明による光情報保存媒体の物理的構造を概略的に示す図である。
【図５】図４に示された情報保存媒体のデータ構造を概略的に示す図である。
【図６Ａ】図４に示された光情報保存媒体の記録パターンの一例を示す図である。
【図６Ｂ】図４に示された光情報保存媒体の記録パターンの一例を示す図である。
【図７Ａ】図４に示された光情報保存媒体の記録パターンにアドレスマークがさらに記録された例を示す図である。
【図７Ｂ】図４に示された光情報保存媒体の記録パターンにアドレスマークがさらに記録された例を示す図である。
【図８】図４に示された情報保存媒体から情報を再生するドライブを示すブロックダイアグラムである。
【図１】
2005537608.tif 000003
【図２】
2005537608.tif 000004
【図３】
2005537608.tif 000005
【図４】
2005537608.tif 000006
【図５】
2005537608.tif 000007
【図６Ａ】
2005537608.tif 000008
【図６Ｂ】
2005537608.tif 000009
【図７Ａ】
2005537608.tif 000010
【図７Ｂ】
2005537608.tif 000011
【図８】
2005537608.tif 000012
【国際調査報告】
2005537608.tif 000013